(57)【要約】【課題】  従来の遊技機では、電気的表示装置の前面の保護パネルや遊技パネルの取替作業に手間がかかった。【解決手段】  保護パネル６１および遊技情報表示パネル６２と一体化された表示窓フレーム７は、前面ドア４の前側から表示窓フレームベース４１に取り付けられる。この際、表示窓フレーム７の上辺部のフック７１の前端面が表示窓フレームベース４１の係合孔４２の背面の係合部４２ａに係止し、また、表示窓フレーム７の下辺部の差込片７２の前端面が表示窓フレームベース４１の差込孔４４の背面の係合部４４ａに係止し、また、嵌入孔４３，４５に嵌入片７３，７５が嵌入する。【選択図】  図１９
2006094946.tif 000002
【特許請求の範囲】
【請求項１】
遊技に用いられる機器を収納する筐体と、
この筐体前面に開閉自在に設けられた扉体と、
この扉体の前面の所定領域に情報を表示する電気的表示装置とを備え、
前記電気的表示装置は、前記情報を電気的に表示する電気的表示手段と、
この電気的表示手段の前方に配置される透過部材と、
前記透過部材を前記扉体に支持すると共に、前記扉体の前方から前記電気的表示手段前面に着脱自在に設けられた支持部材とを備えることを特徴とする遊技機。
【請求項２】
前記支持部材は、前記扉体の前面と対向する背面側に、前記支持部材を前記扉体に着脱自在とする係合手段を有し、この係合手段は、前記扉体の背面側に係合する弾性を有する係合片と、前記扉体に差し込まれる差込片とから構成されていることを特徴とする請求項１に記載の遊技機。
【請求項３】
前記透過部材は、前記電気的表示手段の前方に配置される情報表示部材と、
この情報表示部材の前面を覆って前記情報表示部材を保護する保護部材とから構成され、
前記支持部材は、前記扉体の前面と対向する背面側に、前記情報表示部材および前記保護部材の少なくとも一方を着脱自在に支持する支持手段を備えることを特徴とする請求項１または請求項２に記載の遊技機。
【発明の詳細な説明】
【技術分野】
【０００１】
本発明は、筐体の扉体の前面に情報を表示する電気的表示装置を備える遊技機に関するものである。
【背景技術】
【０００２】
従来、このような遊技機としては、例えば、リールの回転を遊技者の操作に応じて停止させるスロットマシンで、いわゆるパチスロ機と称されるものがある。このパチスロ機では、遊技媒体であるメダルが遊技に賭けられてスタートレバーが操作されると、複数の役の中から当選役が決定され、続いて複数列に配列されたリールが回転を開始する。各リールに対応して設けられた停止ボタンが操作されると、その操作タイミングと当選役とに応じてリールの回転が停止する。この際、各リールの外周面に表されたシンボルの組合せが、当選役に対応する組合せであるときは、メダルの払い出しが行われる。また、ボーナスといった特定の当選役に係る特定の図柄組合せが停止表示して入賞が成立すると、ボーナス遊技といった遊技者に有利な遊技状態に遊技が移行する。
【０００３】
遊技に用いられるリールや制御基板等の機器を収納している筐体前面には、扉体として前面ドアが開閉自在に取り付けられている。従来のパチスロ機には、下記の特許文献１に開示されるように、前面ドアの前面における遊技が行われる領域、つまり、リールの前方の前面ドア領域に情報を電気的に表示する液晶表示装置を備えるものがある。
【０００４】
液晶表示装置は、前面ドアの前面に透過部材である透明アクリル板を取り付けて構成されている。透明アクリル板は、所定事項が予め描かれた透明アクリル製の遊技パネルが、その前面を保護する透明アクリル製の保護パネルと重ねられて一体になっている。透明アクリル板の背後には、電気的表示手段としての液晶、拡散シート、導光板、およびリアホルダが配置されている。導光板の上方および下方には、冷陰極管が設けられている。これらは、フレームを構成するリールガラスベースに収容されて背後からリアホルダで閉じられて一体となっており、リールガラスベースは前面ドアの背面にネジ止めされている。冷陰極管から発光した光は導光板および拡散シートを介して液晶の背面に照射され、液晶に情報が電気的に表示される。液晶に表示された情報は、透明アクリル板を通してパチスロ機の前方から視認される。
【特許文献１】特開２００４−１６６８２０号公報（段落［００３１］，［００３５］〜［００３７］参照）
【発明の開示】
【発明が解決しようとする課題】
【０００５】
一般的にパチスロ機では、同一の筐体を用いた機種変更が行われる場合や、透明アクリル板に破損等が生じた場合には、液晶といった電気的表示機能部分をそのままの状態にして、機器外観に影響を与える透明アクリル板を交換する必要がある。しかし、従来のパチスロ機は、透明アクリル板がリールガラスベースに挟まれてネジ止めによって前面ドアの裏側から前面ドアに取り付けられていたので、透明アクリル板の交換をするには、前面ドアを開けてリールガラスベースを前面ドアの裏側に取り付けているネジを工具等を用いて外す必要があった。このため、従来のパチスロ機では、遊技パネルや保護パネルの取替作業に手間がかかった。また、遊技パネルや保護パネルを取り替える際には液晶等も前面ドアから取り外す必要があったため、遊技パネルや保護パネルの取替作業中に液晶等が落下して液晶等が破損する虞があった。
【課題を解決するための手段】
【０００６】
本発明はこのような課題を解決するためになされたもので、遊技に用いられる機器を収納する筐体と、この筐体前面に開閉自在に設けられた扉体と、この扉体の前面の所定領域に情報を表示する電気的表示装置とを備え、電気的表示装置は、情報を電気的に表示する電気的表示手段と、この電気的表示手段の前方に配置される透過部材と、透過部材を扉体に支持すると共に、扉体の前方から電気的表示手段前面に着脱自在に設けられた支持部材とを備えることを特徴とする。
【０００７】
この構成によれば、扉体の前方から支持部材を扉体に取り付けるという簡単な作業により、透過部材を、扉体の電気的表示手段を配置した領域の前方を覆うように取り付けることができる。透過部材は支持部材に支持されているので、扉体を開かずに、しかも、工具等を用いずに、透過部材を扉体に取り付けられる。従って、同一の筐体を用いた機種変更が行われる場合や、透過部材に破損等が生じた場合に、透過部材を容易に交換することができる。しかも、透過部材のみを交換することができるので、機種変更の際に筐体を再使用できる。また、電気的表示手段を取り外さずに、透過部材を扉体に取り付けられるため、透過部材の交換作業中に電気的表示手段が落下して電気的表示手段が破損するのを避けることができる。
【０００８】
また、本発明は、支持部材は、扉体の前面と対向する背面側に、支持部材を扉体に着脱自在とする係合手段を有し、この係合手段は、扉体の背面側に係合する弾性を有する係合片と、扉体に差し込まれる差込片とから構成されていることを特徴とする。
【０００９】
この構成によれば、支持部材の差込片を扉体に差し込んだ状態で、支持部材を扉体側に押し込むことにより、係合片を筐体の背面側に係合させて、支持部材を扉体に取り付けることができる。このため、透過部材の扉体への取り付けがより容易になる。また、扉体の背後から係合片を撓ませて、筐体の背面側への係合片の係合を解くことにより、支持部材を扉体の前方から取り外すことができる。このため、扉体を閉じたままでは透過部材を扉体から取り外すことができず、遊技機内部に異物を侵入させるような不正を防止することができる。
【００１０】
また、本発明は、透過部材は、電気的表示手段の前方に配置される情報表示部材と、この情報表示部材の前面を覆って情報表示部材を保護する保護部材とから構成され、支持部材は、扉体の前面と対向する背面側に、情報表示部材および保護部材の少なくとも一方を着脱自在に支持する支持手段を備えることを特徴とする。
【００１１】
この構成によれば、情報表示部材および保護部材の少なくとも一方を支持手段で支持部材の背面側に支持し、またはこの支持を解くことにより、情報表示部材および保護部材の少なくとも一方を支持部材に容易に着脱できる。このため、情報表示部材および保護部材の交換作業をさらに容易にすることができる。
【発明の効果】
【００１２】
このような本発明によれば、上記のように、透過部材の交換作業を容易にすることができる。また、機種変更の際に筐体や扉体を再使用できる。
【発明を実施するための最良の形態】
【００１３】
図１は本実施形態によるパチスロ機１の外観を示す一部分解斜視図、図２はパチスロ機１の正面図、図３はパチスロ機１から取り外された前面ドア４の側面図、図４は前面ドア４のリール表示窓部１１部分を示す分解斜視図、図５はリール表示窓部１１を取り除いた状態の前面ドア４を示す斜視図、図６はリール表示窓部１１を取り除いた状態の前面ドア４を示す正面図、図７はリール表示窓部１１を取り除いた状態の前面ドア４の背面側からの斜視図である。なお、これら各図において、同一または相当する部分には、同一符号を付している。
【００１４】
パチスロ機１は、図１に示すように、筐体１ａの前面開口が扉体である前面ドア４で塞がれて覆われている。前面ドア４は、筐体１ａの前面の一側に片側が開閉自在に軸支されている。筐体１ａの内部の中央部には回転自在に３個のリールが設けられている（図示せず）。各リールの外周面には複数種類の図柄（以下、シンボルという）から成るシンボル列が描かれている。また、筐体１ａには、パチスロ機１による遊技動作を制御する制御回路が構成された制御基板をはじめ、遊技に用いられる各種機器が収納されている。
【００１５】
前面ドア４の正面やや上方の所定領域にはリール表示窓部１１がある。リール表示窓部１１に形成された３個のリール表示窓を通して、筐体１ａ内の各リールの外周面に描かれたシンボルがそれぞれ３個ずつ観察される。リール表示窓部１１の後方には、後述する液晶パネル等が配置されており、液晶パネルに表示される種々の遊技情報や遊技演出画像が、このリール表示窓部１１を通して視認される。また、リール表示窓部１１には、横３本と斜め２本の計５本の入賞ラインが設けられている場合がある。また、表示窓の下方右側には、遊技者が遊技媒体であるメダルを入れるための投入口１２が設けられている。
【００１６】
ゲーム開始に先立って、遊技者がメダル投入口１２から１枚のメダルを投入したときは、中央の横１本の入賞ラインが有効化される。また、２枚投入したときは、これに上下の横２本の入賞ラインが加わって横３本の入賞ラインが有効化される。また、３枚投入したときは、５本の入賞ラインの全てが有効化される。
【００１７】
図５および図６に示すように、リール表示窓部１１の左方には、上部から、役物回数表示器１３、３個の遊技メダル投入枚数表示ランプ１４ａ〜１４ｃ、遊技メダル払出枚数表示器１５、遊技メダル貯留枚数表示器１６が設けられている。役物回数表示器１３は３桁の７セグメントＬＥＤ（発光ダイオード）からなり、ボーナスゲーム入賞時に、ＲＢゲームおよびジャックゲームの残り入賞可能回数をデジタル表示する。遊技メダル投入枚数表示ランプ１４ａ，１４ｂ，１４ｃはメダルの投入枚数３枚，２枚，１枚に応じて点灯する。遊技メダル払出枚数表示器１５は２桁の７セグメントＬＥＤからなり、入賞によるメダル払い出し枚数を表示する。遊技メダル貯留枚数表示器１６は２桁の７セグメントＬＥＤからなり、機械内部に現在クレジットされているメダル数を表示する。また、遊技メダル貯留枚数表示器１６の下方には、左側から、遊技メダル投入ランプ１７ａ、遊技開始表示ランプ１７ｂ、遊技停止表示器（ウエイトランプ）１７ｃ、再遊技表示器１７ｄ、当たり表示ランプ（ＷＩＮランプ）１７ｅが設けられており、これらはＬＥＤによって構成されている。遊技メダル投入ランプ１７ａは、メダルの投入が受け付け可能なときに点灯する。遊技開始表示ランプ１７ｂは、リールが回転可能なときに点滅する。遊技停止表示器（ウエイトランプ）１７ｃは、前回のリール回転から今回のリール回転までの時間が４．１秒未満のとき等に点灯する。再遊技表示器１７ｄは、リプレイが作動したときに点灯する。当たり表示ランプ（ＷＩＮランプ）１７ｅはＢＢ中にＲＢが内部当たりした遊技終了時等に点灯する。
【００１８】
リール表示窓部１１の下方左側には、１貯留メダル投入スイッチ１９ａ、２貯留メダル投入スイッチ１９ｂ、３貯留メダル投入スイッチ１９ｃ、選択ボタン２０ａ、および決定ボタン２０ｂが設けられている。貯留メダル投入スイッチ１９ａ〜１９ｃは、遊技メダル貯留枚数表示器１６にメダル数が表示されてメダルがクレジットされている際に、メダル投入口１２へのメダル投入に代えて１回のゲームに１〜３枚のメダルを賭ける際に使用される。選択ボタン２０ａは、液晶表示パネルにおける表示項目の選択に用いられる。決定ボタン２０ｂは、選択ボタン２０ａで選択された液晶表示パネルにおける表示項目の決定に用いられる。
【００１９】
また、リール表示窓部１１のさらに下方には、左側から、スタートレバー２１、および停止ボタン２２ａ〜２２ｃが設けられている。スタートレバー２１の操作により各リールの回転が一斉に開始する。停止ボタン２２ａ〜２２ｃは、各リールに対応して配置されており、これら各リールの回転が一定速度に達したとき操作が有効化され、遊技者の操作に応じて各リールの回転を停止する。
【００２０】
また、前面ドア４の正面下部には腰部パネル２４が設けられており、この腰部パネル２４の下方にはメダル受皿２５が設けられている。メダル受皿２５はメダル払出口２６から払い出されるメダルを貯めるものである。腰部パネル２４は、図１に示すように、四角枠状の腰部フレーム２４ａの背面に保護パネル２４ｂ、遊技シート２４ｃ、および保護パネル２４ｄが取り付けられて一体化されて構成され、腰部フレームベース４６に取り付けられている。腰部フレーム２４ａの右端部には、閉塞部材２４ｅが取り付けられる。閉塞部材２４ｅは、腰部フレーム２４ａの右端側からの保護パネル２４ｂ，２４ｄの引出口を閉塞する部材である。この閉塞部材２４ｅには、腰部フレーム２４ａの右端側から保護パネル２４ａ，２４ｄに挟まれた遊技シート２４ｃを出し入れするための引出口２４ｆが設けられている。
【００２１】
また、図１〜図３の各図に示すように、パチスロ機１の正面上部には、上部装飾ランプを覆う上部装飾ランプカバー１ｂが取り付けられている。上部装飾ランプカバー１ｂの下方中央には、入賞に対してどれだけのメダルが払い出されるかを示す配当表示部２７が設けられている。配当表示部２７の両側方には、スピーカから出力される音が放音される放音口が形成されたスピーカカバー２８，２８が設けられている。また、前面ドア４の前面の左側部および右側部には、サイドレンズカバー５が取り付けられている。
【００２２】
図４に示すように、保護パネル６１および遊技情報表示パネル６２を支持した表示窓フレーム７が表示窓フレームベース４１に取り付けられて、リール表示窓部１１が構成されている。保護パネル６１および遊技情報表示パネル６２は、表示窓フレーム７の外形よりもやや小さな外径を有する四角板状を呈している。保護パネル６１は保護部材、遊技情報表示パネル６２は情報表示部材を構成しており、保護パネル６１および遊技情報表示パネル６２は共に透過部材を構成している。また、表示窓フレーム７は、保護パネル６１および遊技情報表示パネル６２を支持する支持部材を構成している。
【００２３】
図６，図７に示すように、表示窓フレームベース４１の上辺部の左右の両側部には、表示窓フレーム７のフック７１が係合する係合孔４２が２個設けられている。表示窓フレームベース４１の上辺部の中央部には、１個の嵌入孔４３が設けられている。また、表示窓フレームベース４１の同図の左方および右方に位置する左辺部および右辺部の上方には、それぞれ１個の嵌入孔４５が設けられている。また、前面ドア４の右側部の前面には鍵差込部４７が設けられている。また、図５，図７に示すように、表示窓フレームベース４１の下方に位置する下辺部には、後述する表示窓フレーム７の差込片７２が差し込まれる差込孔４４が３個設けられている。差込孔４４は、表示窓フレームベース４１の下辺部の中央部および左右の両側部に、液晶パネル６３の前方に位置して設けられている。また、表示窓フレームベース４１の背面における周囲には、４個のネジ孔４８が設けられている。各ネジ孔４８には、後述する液晶表示装置の背面を構成するリアフレーム６４（図２１参照）の４隅部がネジ止めされる。
【００２４】
表示窓フレーム７に取り付けられた保護パネル６１および遊技情報表示パネル６２の後方には、機器前面側から、液晶パネル６３、図示しない拡散板、導光板、反射板、およびリアフレーム６４がこの順でリールの前方に配置されている。導光板の上方および下方には冷陰極管が設けられている。
【００２５】
液晶パネル６３は、ＩＴＯなどからなる透明な電気的表示手段である。拡散板は、光透過性の樹脂シートからなり、導光板から出射された光を一様に均一にさせる。導光板は、冷陰極管から発生した光を、液晶パネル６３に入射するための面光源に変換する透明樹脂の板である。反射板は、冷陰極管から導光板に出射された光を液晶パネル６３側へ反射させる反射板である。冷陰極管から出射した光は、導光板および拡散板によって液晶パネル６３の背面に照射され、液晶パネル６３に情報を表示させる。
【００２６】
図８は前面ドア４を前方右側から見た分解斜視図、図９は前面ドア４を構成するベースドア４ａを前方右側から見た斜視図である。
【００２７】
図８に示すように、前面ドア４は、上述したスタートレバー２１等の操作部や、サイドレンズカバー５等の各部材を土台となるベースドア４ａに取り付けて構成されている。ベースドア４ａは、図９に示され、前面ドア４の筐体１ａ前面と対向する背面側を構成している。ベースドア４ａのリール表示窓部１１が取り付けられる、その上部装飾ランプカバー１ｂ取付領域を除く正面上半部は、表示窓フレームベース４１になっており、表示窓フレームベース４１は、表示窓フレーム７の外形とほぼ同様の形状の四角枠状に形成されている。表示窓フレームベース４１の上辺部には、上述した係合孔４２、嵌入孔４３が設けられている。表示窓フレームベース４１の内側の左端部は、上述した各ランプや表示器が取り付けられる取付ベース４１ａの領域になっている。また、表示窓フレームベース４１の上方は、上部装飾ランプカバー１ｂが取り付けられる上部ベース４ｂの領域になっている。上部ベース４ｂの上辺部および下辺部には、上部装飾ランプカバー１ｂに設けられたフックが嵌入する嵌入孔４ｂ１が２個ずつ設けられている。
【００２８】
また、ベースドア４ａの高さ方向中央部には、後述する操作部カバー２３が取り付けられる操作部カバー取付部４ｃの領域が設けられている。操作部カバー取付部４ｃの下方のベースドア４ａの腰部は、腰部パネル２４が取り付けられる腰部フレームベース４６の領域になっている。腰部フレームベース４６は、腰部フレーム２４ａの外形とほぼ同様の形状の四角枠状に形成されている。腰部フレームベース４６の上辺部および下辺部には、腰部フレーム２４ａの上端部および下端部に形成された図示しないフックが係止する複数の係止孔４６ａが設けられている。また、腰部フレームベース４６の上辺部には、腰部フレーム２４ａに設けられた図示しない嵌入片が嵌入する嵌入孔４６ｂが設けられている。
【００２９】
また、ベースドア４ａの両側部には、上述したサイドレンズカバー５が取り付けられる。サイドレンズカバー５の背面には、図８に示すようにサイドレンズ５１が取り付けられる。このサイドレンズ５１の背後のベースドア４ａの領域は、複数のＬＥＤが設けられた図示しないＬＥＤ基板が取り付けられる図９に示すＬＥＤ基板取付部４ｄとなっている。
【００３０】
図８に示すように、スタートレバー２１は、その操作方向を検知するセンサ等と一体化されたスタートレバーユニットとして、操作部カバー２３の左側下部の取付孔２３ａを介してベースドア４ａに取り付けられる。停止ボタン２２ａ〜２２ｃは、停止ボタンユニット２２として一体化されて、操作部カバー２３の下部中央に設けられた取付孔２３ｂを介してベースドア４ａに取り付けられる。各メダル投入スイッチ１９ａ〜１９ｃおよび各ボタン２０ａ、２０ｂは、これらの操作を検知するセンサ等と一体化されたユニットとなっており、取付板１９に取り付けられる。取付板１９は、操作部カバー２３上部の台座２３ｃに取り付けられて、各メダル投入スイッチ１９ａ〜１９ｃおよび各ボタン２０ａ、２０ｂが、台座２３ｃに設けられた取付孔２３ｄを介してベースドア４ａに取り付けられる。メダル投入口１２は、メダル投入口１２から投入されたメダルをパチスロ機１内部に導く導入路と、導入路を通過するメダルを検知するセンサ等とが一体化された投入機構部１２ａの一部を構成している。投入機構部１２ａは、操作部カバー２３の右側に設けられた投入機構部取付孔２３ｅからメダル投入口１２が露出するように投入機構部取付孔２３ｅに取り付けられる。
【００３１】
メダル受皿２５は、コインガードプレート２５ａを挟んでベースドア４ａ前面の下部に取り付けられる。コインガードプレート２５ａは、メダル受皿２５内に落下したメダルからベースドア４ａ前面を保護するためのものである。
【００３２】
図１０〜図１６は保護パネル６１および遊技情報表示パネル６２を支持していない状態での表示窓フレーム７を示す図であり、図１０は表示窓フレーム７の前方右上側からの斜視図、図１１は表示窓フレーム７を前面側から見た正面図、図１２は表示窓フレーム７を上方から見た平面図、図１３は表示窓フレーム７を下方から見た底面図、図１４は表示窓フレーム７を左側から見た側面図、図１５は表示窓フレーム７を背面側から見た背面図、図１６は表示窓フレーム７の後方左下側からの斜視図である。
【００３３】
表示窓フレーム７は、表示窓フレームベース４１とほぼ同じサイズの外形を有する四角枠状を呈しており、その周縁部に沿った各辺部は略Ｌ字状の断面を有している。表示窓フレーム７の前面ドア４に対向する背面には、上辺部の左側部および右側部に２個のフック７１、下辺部の左側部、右側部、および中央部に３個の差込片７２が設けられている。フック７１は、弾性を有する係合片を構成しており、表示窓フレーム７の後方に向けて突出している。差込片７２は、下辺部の下端から、表示窓フレーム７の下方に向けて突出している。フック７１および差込片７２は、表示窓フレーム７を前面ドア４に取り付ける係合手段を構成している。表示窓フレーム７の上辺部の背面中央部には、表示窓フレーム７の後方に向けて突出している１個の嵌入片７６が設けられている。図１５，図１６に示すように、嵌入片７６の下方には係合片７３が表示窓フレーム７の下方に向けて突出している。また、表示窓フレーム７の下辺部の背面における各差込片７２の上方には、弾性を有する載置片７４が表示窓フレーム７の背面側に向けて突出して設けられている。また、表示窓フレーム７の左辺部および右辺部のやや上方の背面には、それぞれ１個の嵌入片７５が背面側に向けて突出して設けられている。この表示窓フレーム７には、背面側から保護パネル６１および遊技情報表示パネル６２が取り付けられる。係合片７３および載置片７４は、保護パネル６１および遊技情報表示パネル６２を着脱自在に支持する支持手段を構成している。
【００３４】
保護パネル６１は、透明のアクリル樹脂から形成され、表示窓フレーム７の内周に嵌まるサイズの四角板状を呈している。遊技情報表示パネル６２は、透明のガラスから形成され、表示窓フレーム７の内周に嵌まるサイズの四角板状を呈している。遊技情報表示パネル６２のパネル面には、遊技に関する情報やモチーフとするキャラクタ図柄といった所定事項が予め描かれている。これら保護パネル６１および遊技情報表示パネル６２は、保護パネル６１、遊技情報表示パネル６２の順で積層されて、保護パネル６１が遊技情報表示パネル６２の前面に配置するように表示窓フレーム７に取り付けられる。この際、保護パネル６１および遊技情報表示パネル６２は、表示窓フレーム７の背面側からこれらの上縁部の中央を係合片７３に係合させた状態で、下部を表示窓フレーム７側に押し込むことにより、載置片７４の先端がこれらの下縁部に押されることによって下方に撓んで、表示窓フレーム７に取り付けられる。この取り付けにより、保護パネル６１および遊技情報表示パネル６２は、上縁部が係合片７３で係止され、下縁部が載置片７４で支持された状態で表示窓フレーム７に固定され、表示窓フレーム７と一体化される。保護パネル６１および遊技情報表示パネル６２は、上述した表示窓フレーム７、液晶パネル６３、拡散板、冷陰極管、導光板、反射板、およびリアフレーム６４と共に、前面ドア４の前面における所定領域、つまり、リール表示窓部１１に情報を表示する電気的表示装置を構成している。
【００３５】
図１７〜図２１は、保護パネル６１および遊技情報表示パネル６２と一体化された表示窓フレーム７が表示窓フレームベース４１に取り付けられた状態を示す図である。
【００３６】
表示窓フレーム７は、下辺部の差込片７２を表示窓フレームベース４１の下辺部の差込孔４４に差し込んだ状態で、その上部を前面ドア４側に押し込むことにより、図１７に示すように、前面ドア４の表示窓フレームベース４１の所定領域に取り付けられる。所定領域は、表示窓フレームベース４１の内周縁部によって囲まれる領域から構成されている。この際、上辺部のフック７１が表示窓フレームベース４１の係合孔４２内に撓みながら侵入し、図１８，図１９に示すように、係合孔４２の背面の係合部４２ａに係止する。また、図２０に示すように、下辺部の差込片７２の前面が差込孔４４の背面の係合部４４ａに係止する。また、図１７に示すように、表示窓フレームベース４１の嵌入孔４３に表示窓フレーム７の嵌入片７６が嵌入する。また、図示しないが、表示窓フレームベース４１の嵌入孔４５にも表示窓フレーム７の嵌入片７５が嵌入する。これらのフック７１と係合孔４２との係合、差込片７２と差込孔４４との係合、および嵌入孔４３，４５への嵌入片７５，７６の嵌入により、表示窓フレームベース４１に取り付けられた表示窓フレーム７は、前面ドア４に対向する背面が表示窓フレームベース４１の前面に当接して、背面側への移動が規制されると共に、前面ドア４の前方への表示窓フレーム７の移動が規制される。このようにして、表示窓フレーム７、保護パネル６１、および遊技情報表示パネル６２が取り付けられた前面ドア４の背面に、電気的表示装置を構成する液晶パネル６３等が図２１に示すように、前面ドア４の背後にリアフレーム６４が見える形で、リアフレーム６４の四隅に設けられた取付片６４ａを介してネジ孔４８にネジ止めされる。
【００３７】
また、表示窓フレームベース４１に取り付けられた表示窓フレーム７、保護パネル６１、および遊技情報表示パネル６２は、前面ドア４の背面側において、フック７１を下方に向けて撓めることにより、表示窓フレームベース４１の係合孔４２へのフック７１の係合を解いて、係合孔４２からフック７１を前方側へ引き抜き、差込孔４４から差込片７２引き抜くことにより、表示窓フレームベース４１の前方側に取り外される。
【００３８】
上述した本実施形態によるパチスロ機１では、前面ドア４の前方から、保護パネル６１および遊技情報表示パネル６２を支持した表示窓フレーム７のフック７１を表示窓フレームベース４１の係合孔４２に取り付けるという簡単な作業により、保護パネル６１および遊技情報表示パネル６２を液晶パネル６３前方の前面ドア４に取り付けられる。保護パネル６１および遊技情報表示パネル６２が表示窓フレーム７に支持されているので、前面ドア４を開かずに、しかも、ドライバ等の工具を用いずに、保護パネル６１および遊技情報表示パネル６２を前面ドア４に取り付けられる。従って、同一の筐体１ａを用いた機種変更が行われる場合や、保護パネル６１や遊技情報表示パネル６２に破損等が生じた場合に、保護パネル６１や遊技情報表示パネル６２を容易に交換することができる。しかも、遊技情報表示パネル６２のみを交換することができるので、パチスロ機１の機種変更の際に筐体１ａや前面ドア４を再使用できる。また、液晶パネル６３等を取り外さずに、保護パネル６１および遊技情報表示パネル６２を前面ドア４から取り外せる。このため、保護パネル６１や遊技情報表示パネル６２の交換作業中に液晶パネル６３が落下して、液晶パネル６３が破損するのを避けることができる。
【００３９】
また、本実施形態によるパチスロ機１では、表示窓フレーム７の下辺部の差込片７２を前面ドア４の前方から差込孔４４に差し込んで、表示窓フレーム７を前面ドア４の前面側に置いた状態で、表示窓フレーム７の上部を前面ドア４側に単に押し込むことにより、表示窓フレーム７の上辺部のフック７１を前面ドア４の係合孔４２に係合させて、表示窓フレーム７を前面ドア４に取り付けることができる。このため、保護パネル６１や遊技情報表示パネル６２の前面ドア４への取り付けがより容易になる。また、フック７１の係合孔７２への係合は、前面ドア４の背面側で行われているため、前面ドア４を閉じたままでは保護パネル６１や遊技情報表示パネル６２を前面ドア４から取り外すことができず、パチスロ機１の内部に異物を侵入させるような不正を防止することもできる。
【００４０】
また、本実施形態によるパチスロ機１では、保護パネル６１および遊技情報表示パネル６２を支持手段である係合片７３および載置片７４で表示窓フレーム７に支持し、また、差込片７４を下方に撓ませてこの支持を解くことにより、保護パネル６１および遊技情報表示パネル６２を表示窓フレーム７から取り外すことができる。このため、保護パネル６１および遊技情報表示パネル６２の着脱が容易になり、これらの交換作業をさらに容易にすることができる。
【００４１】
なお、上記実施の形態では、表示窓フレーム７の上辺部に２個のフック７１、下辺部に３個の差込片７２が設けられ、表示窓フレームベース４１の係合孔４２および差込孔４４にフック７１および差込片７２が係合し、また、嵌入孔４３，４５に嵌入片７５，７６が嵌入して表示窓フレーム７が前面ドア４に取り付けられる場合について説明した。しかし、前面ドア４の係合孔にフックが係合して表示窓フレーム７が前面ドア４に取り付けられるのであれば、表示窓フレーム７に設けられるフック、差込片および嵌入片の数量および取付位置は任意であり、適宜変更して差し支えない。例えば、表示窓フレーム７の左辺部および右辺部にフック７１および差込片７２を設けてもよい。また、表示窓フレーム７の前面ドア４への取付方法や、表示窓フレーム７への保護パネル６１および遊技情報表示パネル６２の取り付け方法も任意であり、適宜変更して差し支えない。また、表示窓フレーム７の形状等も任意であり適宜変更して差し支えない。
【００４２】
また、上記実施形態では、所定領域をリールの表示窓が設けられたリール表示窓部１１として、このリール表示窓部１１に電気的表示装置を備えるパチスロ機１に本発明を適用した場合につて説明した。しかし、例えば、所定領域を前面ドア４における腰部パネル２４が設けられた領域とし、この領域に電気的表示装置を備えるパチスロ機に本発明を適用することもできる。また、上記実施形態では、保護パネル６１および遊技情報表示パネル６２を表示窓フレーム７から着脱できるように構成されている場合について説明した。しかし、保護パネル６１および遊技情報表示パネル６２が表示窓フレーム７に固定されている構成としてもよい。また、保護パネル６１および遊技情報表示パネル６２の一方が、表示窓フレーム７に固定されており、他方を表示窓フレーム７に着脱できる構成としてもよい。この場合、他方の保護パネル６１および遊技情報表示パネル６２のみを載置片７４および係合片７３に係合させて表示窓フレーム７に着脱自在に取り付ける構成としてもよい。また、上記実施形態では、前面ドア４のリール表示窓部１１に情報を表示する電気的表示手段として、液晶パネル３６を用いた場合について説明したが、電気的表示手段の種類は任意であり、例えばエレクトロルミネッセンス（ＥＬ）等を用いることもできる。
【産業上の利用可能性】
【００４３】
上記実施形態においては、本発明による遊技機をスロットマシンに適用した場合について説明したが、情報を表示する電気的表示装置を前面ドアの前面に備える他の遊技機に本発明を適用することも可能である。このような遊技機に本発明を適用した場合においても上記実施形態と同様な作用効果が奏される。
【図面の簡単な説明】
【００４４】
【図１】本発明の一実施形態によるパチスロ機の外観を示す分解斜視図である。
【図２】図１に示すパチスロ機の正面図である。
【図３】図１に示すパチスロ機から取り外した前面ドアの側面図である。
【図４】前面ドアのリール表示窓部部分を示す分解斜視図である。
【図５】リール表示窓部を取り除いた状態の前面ドアの前方からの斜視図である。
【図６】リール表示窓部を取り除いた状態の前面ドアを示す正面図である。
【図７】前面ドアを前方右側から見た分解斜視図である。
【図８】前面ドアを構成するベースドアを前方右側から見た斜視図である。
【図９】リール表示窓部を取り除いた状態の前面ドアの後方からの斜視図である。
【図１０】保護パネルおよび遊技情報表示パネルを支持していない状態でのフレームの前方右上側からの斜視図である。
【図１１】図１０に示すフレームを前面側から見た正面図である。
【図１２】図１０に示すフレームを上方から見た平面図である。
【図１３】図１０に示すフレームを下方から見た底面図である。
【図１４】図１０に示すフレームを左側から見た側面図である。
【図１５】図１０に示すフレームを背面側から見た背面図である。
【図１６】図１０に示すフレームの後方左下側からの斜視図である。
【図１７】保護パネルおよび遊技情報表示パネルと一体化されたフレームが表示窓フレームベースに取り付けられた状態を示す背面図である。
【図１８】保護パネルおよび遊技情報表示パネルと一体化されたフレームが表示窓フレームベースに取り付けられた状態を示す第１の断面図である。
【図１９】図１８の部分拡大断面図である。
【図２０】保護パネルおよび遊技情報表示パネルと一体化されたフレームが表示窓フレームベースに取り付けられた状態を示す第２の断面図である。
【図２１】電気的表示装置を取り付けた状態の前面ドアを示す背面図である。
【符号の説明】
【００４５】
１…パチスロ機
１ａ…筐体
１ｂ…上部装飾ランプカバー
４…前面ドア
４１…表示窓フレームベース
４２…係合孔
４３…嵌入孔
４４…係合孔
４５…嵌入孔
６１…保護パネル
６２…遊技情報表示パネル
７…表示窓フレーム
７１…フック
７２…差込片
７３…係合片
７４…差込片
７６…嵌入片
【図１】
2006094946.tif 000003
【図２】
2006094946.tif 000004
【図３】
2006094946.tif 000005
【図４】
2006094946.tif 000006
【図５】
2006094946.tif 000007
【図６】
2006094946.tif 000008
【図７】
2006094946.tif 000009
【図８】
2006094946.tif 000010
【図９】
2006094946.tif 000011
【図１０】
2006094946.tif 000012
【図１１】
2006094946.tif 000013
【図１２】
2006094946.tif 000014
【図１３】
2006094946.tif 000015
【図１４】
2006094946.tif 000016
【図１５】
2006094946.tif 000017
【図１６】
2006094946.tif 000018
【図１７】
2006094946.tif 000019
【図１８】
2006094946.tif 000020
【図１９】
2006094946.tif 000021
【図２０】
2006094946.tif 000022
【図２１】
2006094946.tif 000023